(57)【要約】【課題】医師が不快や負担などを感じることなく、立体視画像の放射線画像に関する所見入力を行えるようにする。【解決手段】互いに異なる２つの撮影方向からの被写体への放射線の照射によって取得された撮影方向毎の２つの放射線画像を用いて立体視可能な立体視画像を表示する立体視放射線画像表示装置において、立体視画像の放射線画像を表示させるとともに、所見入力画面とその所見入力画面内に入力される所見内容を立体視可能に表示する。【選択図】図８
2012178626.tif 000002
【特許請求の範囲】
【請求項１】
互いに異なる２つの撮影方向からの被写体への放射線の照射によって取得された前記撮影方向毎の２つの放射線画像を用いて立体視可能な立体視画像を表示する表示部と、
所見内容の入力を受け付ける所見入力受付部と、
前記表示部に所見入力画面を立体視可能に表示させるとともに、該所見入力画面内に前記所見入力受付部において受け付けられた所見内容を立体視可能に表示する所見表示制御部とを備えたことを特徴とする立体視放射線画像表示装置。
【請求項２】
前記所見表示制御部が、前記所見入力画面および前記所見内容を２次元画像としても表示可能なものであり、
該２次元画像と前記立体視可能な所見入力画面および所見内容とを切替えて表示するものであることを特徴とする請求項１記載の立体視放射線画像表示装置。
【請求項３】
前記２次元画像の表示と前記立体視可能な所見入力画面および所見内容の表示との切り替え指示を受け付ける表示切替受付部を備えたことを特徴とする請求項２記載の立体視放射線画像表示装置。
【請求項４】
前記所見表示制御部が、前記立体視可能な所見入力画面および所見内容の視差量を前記２つの放射線画像の最大視差量と同じにするものであることを特徴とする請求項１から３いずれか１項記載の立体視放射線画像表示装置。
【請求項５】
前記立体視可能な所見入力画面および所見内容の任意の視差量の入力を受け付ける視差量入力受付部を備え、
前記所見表示制御部が、前記立体視可能な所見入力画面および所見内容の視差量を前記視差量入力受付部において受け付けられた視差量に設定するものであることを特徴とする請求項１から３いずれか１項記載の立体視放射線画像表示装置。
【請求項６】
前記立体視可能な所見入力画面および所見内容の表示と非表示との選択指示を受け付ける表示選択受付部を備え、
前記所見表示制御部が、前記表示選択受付部において受け付けられた選択指示に応じて、前記立体視可能な所見入力画面および所見内容の表示と非表示とを切り替えるものであること特徴とする請求項１から５いずれか１項記載の立体視放射線画像表示装置。
【請求項７】
前記所見表示制御部が、前記所見入力画面を複数表示させるものであることを特徴とする請求項１から６いずれか１項記載の立体視放射線画像表示装置。
【請求項８】
前記表示部に表示された前記２つの放射線画像と前記所見入力受付部に受け付けられた所見内容に関する情報とを関連付けして記憶する記憶部を備えたことを特徴とする請求項１から６いずれか１項記載の立体視放射線画像表示装置。
【請求項９】
互いに異なる２つの撮影方向からの被写体への放射線の照射によって取得された前記撮影方向毎の２つの放射線画像を用いて立体視可能な立体視画像を表示部に表示する立体視放射線画像表示方法において、
所見内容の入力を受け付け、
前記表示部に所見入力画面を立体視可能に表示させるとともに、該所見入力画面内に前記所見内容を立体視可能に表示することを特徴とする立体視放射線画像表示方法。
【発明の詳細な説明】
【技術分野】
【０００１】
本発明は、互いに異なる２つの撮影方向からの被写体への放射線の照射によって取得された撮影方向毎の２つの放射線画像を用いて立体視可能な立体視放射線画像を表示するとともに、医師などが所見入力を可能な所見入力画面を表示する立体視放射線画像表示方法および装置に関するものである。
【背景技術】
【０００２】
従来、複数の画像を組み合わせて表示することにより、視差を利用して立体視できることが知られている。このような立体視できる画像（以下、立体視画像またはステレオ画像という）は、同一の被写体を異なる位置から撮影して取得された互いに視差のある複数の画像に基づいて表示される。
【０００３】
そして、このような立体視画像の生成は、デジタルカメラやテレビなどの分野だけでなく、放射線画像撮影の分野においても利用されている。すなわち、被検者に対して互いに異なる方向から放射線を照射し、その被検者を透過した放射線を放射線画像検出器によりそれぞれ検出して互いに視差のある複数の放射線画像を取得し、これらの放射線画像に基づいて立体視画像を生成することが行われている。そして、このように立体視画像を生成することによって奥行感のある放射線画像を観察することができ、より診断に適した放射線画像を観察することができる。
【０００４】
ここで、上述したような立体視画像の放射線画像を用いた画像診断に限らず、一般的に画像診断においては、画像を観察した医者がその画像診断に関する所見を残す場合がある。そして、この画像診断に関する所見内容は、従来は、紙のカルテ上に記載されたり、もしくはコンピュータのアプリケーションを利用して入力されたりすることによって保存されていた。
【先行技術文献】
【特許文献】
【０００５】
【特許文献１】特表２００１−５０２４５３号公報
【特許文献２】特開２００１−３２６９４７号公報
【発明の概要】
【発明が解決しようとする課題】
【０００６】
しかしながら、上述したような立体視画像を観察しながら所見内容をコンピュータに入力する場合、従来は、立体視画像を表示するモニタとは別のモニタ上に表示された入力画面を用いて入力するようにしていた。
【０００７】
したがって、画像診断を行う医師は、立体視画像を観察した後に別のモニタに表示された２次元画像の入力画面を見る必要があり、このとき立体視をしている状態から２次元画像を観察する状態になると医師がチラツキを感じることがあり、不快なものとなっていた。また、所見入力のために２次元画像を一旦観察すると、再び立体視を行って立体視画像を認識するまでに時間がかかり、さらに２次元画像の観察と立体視画像の観察とを交互に繰り返すことは医師の脳にとって負担となっていた。
【０００８】
なお、特許文献１には、立体視画像をスナップショットして取得し、それを所見入力画面に貼り付けることが開示されているが、この場合においても所見入力画面は２次元画像なので上記と同様の問題を生じる。
【０００９】
また、特許文献２には、立体視画像を表示するととともに、文字を表示する際、その文字についても立体視画像として表示することが開示されているが、医用画像に関する所見入力に関する内容については何も開示されていない。
【００１０】
本発明は、上記の事情に鑑み、医師が不快や負担などを感じることなく、立体視画像の放射線画像に関する所見入力を行うことができる立体視放射線画像表示方法および装置を提供することを目的とする。
【課題を解決するための手段】
【００１１】
本発明の立体視放射線画像表示装置は、互いに異なる２つの撮影方向からの被写体への放射線の照射によって取得された撮影方向毎の２つの放射線画像を用いて立体視可能な立体視画像を表示する表示部と、所見内容の入力を受け付ける所見入力受付部と、表示部に所見入力画面を立体視可能に表示させるとともに、所見入力画面内に所見入力受付部において受け付けられた所見内容を立体視可能に表示する所見表示制御部とを備えたことを特徴とする。
【００１２】
また、上記本発明の立体視放射線画像表示装置は、所見表示制御部を、所見入力画面および所見内容を２次元画像としても表示可能なものとし、その２次元画像と立体視可能な所見入力画面および所見内容とを切替えて表示するものとできる。
【００１３】
また、２次元画像の表示と立体視可能な所見入力画面および所見内容の表示との切り替え指示を受け付ける表示切替受付部を設けることができる。
【００１４】
また、所見表示制御部を、立体視可能な所見入力画面および所見内容の視差量を２つの放射線画像の最大視差量と同じにするものとできる。
【００１５】
また、立体視可能な所見入力画面および所見内容の任意の視差量の入力を受け付ける視差量入力受付部を設け、所見表示制御部を、立体視可能な所見入力画面および所見内容の視差量を視差量入力受付部において受け付けられた視差量に設定するものとできる。
【００１６】
また、立体視可能な所見入力画面および所見内容の表示と非表示との選択指示を受け付ける表示選択受付部を設け、所見表示制御部を、表示選択受付部において受け付けられた選択指示に応じて、立体視可能な所見入力画面および所見内容の表示と非表示とを切り替えるものとできる。
【００１７】
また、所見表示制御部を、所見入力画面を複数表示させるものとできる。
【００１８】
また、表示部に表示された２つの放射線画像と所見入力受付部に受け付けられた所見内容に関する情報とを関連付けして記憶する記憶部を設けることができる。
【００１９】
本発明の立体視放射線画像表示方法は、互いに異なる２つの撮影方向からの被写体への放射線の照射によって取得された撮影方向毎の２つの放射線画像を用いて立体視可能な立体視画像を表示部に表示する立体視放射線画像表示方法において、所見内容の入力を受け付け、上記表示部に所見入力画面を立体視可能に表示させるとともに、その所見入力画面内に上記所見内容を立体視可能に表示することを特徴とする。
【発明の効果】
【００２０】
本発明の立体視放射線画像表示方法および装置によれば、互いに異なる２つの撮影方向からの被写体への放射線の照射によって取得された撮影方向毎の２つの放射線画像を用いて立体視可能な立体視画像を表示部に表示する際、所見内容の入力を受け付け、表示部に所見入力画面を立体視可能に表示させるとともに、その所見入力画面内に上記所見内容を立体視可能に表示するようにしたので、医師が不快や負担などを感じることなく、立体視画像の放射線画像に関する所見入力を行うことができる。
【００２１】
ただし、立体視の能力は個人差があり、たとえば、立体視が苦手な医師にとっては文字情報を立体視表示することに抵抗を感じる場合もある。
【００２２】
そこで、上記本発明の立体視放射線画像表示方法および装置において、所見入力画面および所見内容を２次元画像としても表示可能なものとし、その２次元画像と立体視可能な所見入力画面および所見内容とを切替えて表示するようにすれば、医師の立体視の能力や要望に応じて、所見入力画面および所見内容を２次元画像に切り替えることができる。
【００２３】
また、所見入力画面および所見内容の任意の視差量の入力を受け付け、その受け付けた視差量で所見入力画面および所見内容を立体視可能に表示するようにした場合には、医師の要望に応じた奥行位置に所見入力画面および所見内容を表示することができる。
【００２４】
また、所見入力画面および所見内容の表示と非表示との選択指示を受け付け、その受け付けた選択指示に応じて、所見入力画面および所見内容の表示と非表示とを切り替えるようにした場合には、必要に応じて所見入力画面および所見内容を表示させ、放射線画像の観察に邪魔になるような場合には非表示とすることができる。
【００２５】
また、所見入力画面を複数表示させるようにした場合には、種々のバリエーションで所見入力を行うことができる。
【００２６】
また、表示部に表示された２つの放射線画像と所見内容に関する情報とを関連付けして記憶するようにした場合には、再び２つの放射線画像を立体視表示する際に、その放射線画像に関する所見内容も速やかに表示させることができる。
【図面の簡単な説明】
【００２７】
【図１】本発明の立体視放射線画像表示装置の一実施形態を用いた乳房画像撮影表示システムの概略構成図
【図２】図１に示す乳房画像撮影表示システムにおけるアーム部の移動を説明するための図
【図３】図１に示す乳房画像撮影表示システムのコンピュータ内部の概略構成を示すブロック図
【図４】所見入力画面および所見内容の位置を奥行方向に移動させるホイールマウスの一例を示す図
【図５】立体視画像を表示可能なモニタの一例を示す図
【図６】本発明の立体視放射線画像表示装置の一実施形態を用いた乳房画像撮影表示システムの作用を説明するためのフローチャート
【図７】右目用所見入力画面ＲＳを含む右目用放射線画像と左目用所見入力画面ＬＳを含む左目用放射線画像の一例を示す模式図
【図８】立体視表示された乳房画像、所見入力画面および所見内容の一例を示す模式図
【図９】２次元画像として表示された所見入力画面および所見内容の一例を示す模式図
【図１０】立体視表示された所見入力画面および所見内容のその他の例を示す模式図
【図１１】複数の所見入力画面を立体視表示させた場合の一例を示す模式図
【発明を実施するための形態】
【００２８】
以下、図面を参照して本発明の立体視放射線画像表示装置の一実施形態を用いた乳房画像撮影表示システムについて説明する。図１は、本実施形態の乳房画像撮影表示システム全体の概略構成を示す図である。
【００２９】
本実施形態の乳房画像撮影表示システム１は、図１に示すように、乳房画像撮影装置１０と、乳房画像撮影装置１０に接続されたコンピュータ２と、コンピュータ２に接続されるモニタ３および入力部４とを備えている。
【００３０】
乳房画像撮影装置１０は、図１に示すように、基台１１と、基台１１に対し上下方向（Ｚ方向）に移動可能であり、かつ回転可能な回転軸１２と、回転軸１２により基台１１と連結されたアーム部１３を備えている。図２には、図１の右方向から見たアーム部１３を示している。
【００３１】
アーム部１３はアルファベットのＣの形をしており、その一端には乳房が設置される撮影台１４が、その他端には撮影台１４と対向するように放射線源ユニット１６が取り付けられている。アーム部１３の回転軸１２による回転および上下方向の移動は、基台１１に組み込まれたアームコントローラ３１により制御される。
【００３２】
また、アーム部１３の中央部には、撮影台１４の上方に配置され、乳房を押さえつけて圧迫する圧迫板１８と、その圧迫板１８を支持する支持部２０と、支持部２０を上下方向に移動させる移動機構１９が設けられている。圧迫板１８の位置、圧迫圧は、圧迫板コントローラ３４により制御される。
【００３３】
撮影台１４の内部には、フラットパネルディテクタ等の放射線画像検出器１５と、放射線画像検出器１５からの電荷信号の読み出しなどを制御する検出器コントローラ３３が備えられている。
【００３４】
また、撮影台１４の内部には、放射線画像検出器１５から読み出された電荷信号を電圧信号に変換するチャージアンプや、チャージアンプから出力された電圧信号をサンプリングする相関２重サンプリング回路や、電圧信号をデジタル信号に変換するＡＤ変換部などが設けられた回路基板なども設置されている。
【００３５】
放射線画像検出器１５は、放射線画像の記録と読出しを繰り返して行うことができるものであり、放射線の照射を直接受けて電荷を発生する、いわゆる直接型の放射線画像検出器を用いてもよいし、放射線を一旦可視光に変換し、その可視光を電荷信号に変換する、いわゆる間接型の放射線画像検出器を用いるようにしてもよい。また、放射線画像信号の読出方式としては、ＴＦＴ（thin film transistor）スイッチをオン・オフされることによって放射線画像信号が読みだされる、いわゆるＴＦＴ読出方式のものや、読取光を照射することによって放射線画像信号が読み出される、いわゆる光読出方式のものを用いることができるが、これに限らずその他のものを用いるようにしてもよい。
【００３６】
放射線源ユニット１６の中には放射線源１７と放射線源コントローラ３２とが収納されている。放射線源コントローラ３２は、放射線源１７から放射線を照射するタイミングと、放射線源１７における放射線発生条件（管電流、時間、管電圧等）を制御するものである。
【００３７】
コンピュータ２は、中央処理装置（ＣＰＵ）および半導体メモリやハードディスクやＳＳＤ等のストレージデバイスなどを備えており、これらのハードウェアによって、図３に示すような制御部４０、放射線画像記憶部４１、放射線画像表示制御部４２および所見表示制御部４３が構成されている。
【００３８】
制御部４０は、各種のコントローラ３１〜３５に対して所定の制御信号を出力し、システム全体の制御を行うものである。具体的な制御方法については後で詳述する。
【００３９】
放射線画像記憶部４１は、互いに異なる２つの撮影方向からの撮影によって放射線画像検出器１５によって検出された２枚の放射線画像信号を記憶するものである。
【００４０】
放射線画像表示制御部４２は、放射線画像記憶部４１から読み出された放射線画像信号に対して所定の信号処理を施した後、モニタ３に被検者Ｍの乳房のステレオ画像を表示させるものである。
【００４１】
所見表示制御部４３は、モニタ３に所見入力画面を立体視可能に表示させるとともに、その所見入力画面内に入力部４において医師などによって入力された所見をモニタ３に立体視可能に表示させるものである。所見表示制御部４３の具体的な作用については、後で詳述する。
【００４２】
入力部４は、たとえば、キーボードやマウスなどのポインティングデバイスから構成されるものであり、所定の撮影条件や撮影開始指示の入力などを受け付けるものであるが、特に、本実施形態においては、上述したモニタ３に表示された所見入力画面内に表示される所見の内容の入力を受け付けるものである。
【００４３】
また、上述した所見入力画面の奥行方向の表示位置を指定するように構成する場合には、図４に示すようなホイールマウス６１を用いるようにしてもよい。ホイールマウス６１は、回転ホイール６２を備えており、この回転ホイール６２を観察者が回転させることによって所見入力画面の視差量を変化させ、所見入力画面の奥行方向の表示位置を変化させるようにしてもよい。
【００４４】
モニタ３は、コンピュータ２から出力された２つの放射線画像信号を用いて乳房の放射線画像をステレオ表示するとともに、所見入力画面およびその所見入力画面内に入力された所見の内容を乳房の放射線画像とともにステレオ表示するものである。
【００４５】
具体的には、本実施形態のモニタ３は、図５に示すように、右目用に撮影された乳房画像、右目用所見入力画面および所見内容を含む右目用放射線画像ＧＲと、左目用に撮影された乳房画像、左目用所見入力画面および所見内容を含む左目用放射線画像ＧＬとを表示することにより、これらの乳房画像、所見入力画面および所見内容をステレオ表示するものである。モニタ３は、図５に示すように、前方に傾斜した上方の第１の表示部５０と下方の第２の表示部５１とを組み合せて構成されており、この第１の表示部５０と第２の表示部５１の間にハーフミラー５２が配置されている。
【００４６】
第１の表示部５０はその表示画面に右目用放射線画像ＧＲを表示し、第２の表示部５１はその表示画面に左目用放射線画像ＧＬをそれぞれ表示するものである。そして、上方の第１の表示部５０により表示された右目用放射線画像ＧＲは、図中実線で示すようにハーフミラー５２で反射し、下方の第２の表示部５１により表示された左目用放射線画像ＧＬは、図中破線で示すようにハーフミラー５２を透過する。ハーフミラー５２は、観察の際に右目用放射線画像ＧＲと左目用放射線画像ＧＬとが重なるような角度で配置されている。
【００４７】
そして、モニタ３は、第１および第２の表示部５０，５１の表示光を互いに直交する偏光とすることが可能に構成されている。観察者は、右目用放射線画像ＧＲが右目のみに入射するように偏向する右目用偏光レンズと左目用放射線画像ＧＬが左目のみに入射するように偏光する左目用偏光レンズを有する偏光メガネを装着することにより、これらの画像を左右の目でそれぞれ観察することができ、乳房画像、所見入力画面および所見内容を立体視することができる。
【００４８】
なお、モニタ３はこのような構成に限らず、たとえば、パララックスバリア方式およびレンチキュラー方式のように、右目用放射線画像ＧＲと左目用放射線画像とＧＬを立体視可能な３Ｄ液晶に表示することによってステレオ画像を生成する構成としてもよい。
【００４９】
次に、本実施形態の乳房画像撮影表示システムの作用について、図６に示すフローチャートを参照しながら説明する。
【００５０】
まず、撮影台１４の上に被検者Ｍの乳房が設置され、圧迫板１８により乳房が所定の圧力によって圧迫される（Ｓ１０）。
【００５１】
そして、入力部４において撮影開始指示が受け付けられると、乳房のステレオ画像を構成する２枚の放射線画像のうちの１枚目の放射線画像の撮影が行われる（Ｓ１２）。
【００５２】
具体的には、まず、制御部４０が、予め設定されたステレオ画像の撮影のための撮影角度θを読み出し、その読み出した撮影角度θの情報をアームコントローラ３１に出力する。なお、本実施形態においては、このときの撮影角度θの情報としてθ＝０°とθ＝４°が予め記憶されているものとするが、これに限らず、撮影者によって入力部４において任意の撮影角度を設定可能である。
【００５３】
そして、アームコントローラ３１において、制御部４０から出力された撮影角度θ＝０°とθ＝４°の情報が受け付けられ、アームコントローラ３１は、まず、θ＝０°の情報に基づいて、図２に示すようにアーム部１３が撮影台１４に対して垂直な方向となるように制御信号を出力する。
【００５４】
そして、アーム部１３が撮影台１４に対して垂直な方向となった状態において、制御部４０は、放射線源コントローラ３２および検出器コントローラ３３に対して放射線の照射と放射線画像信号の読出しを行うよう制御信号を出力する。この制御信号に応じて、放射線源１７から放射線が射出され、乳房を０°方向から撮影した放射線画像が放射線画像検出器１５によって検出され、検出器コントローラ３３によって放射線画像信号が読み出され、その放射線画像信号に対して所定の信号処理が施された後、コンピュータ２の放射線画像記憶部４１に記憶される。
【００５５】
続いて、制御部４０は、ステレオ画像を構成する２枚の放射線画像のうちの２枚目の放射線画像の撮影を行う（Ｓ１４）。
【００５６】
具体的には、アームコントローラ３１は、図２に示すように、アーム部１３を撮影台１４に垂直な方向に対して＋θ°回転するよう制御信号を出力する。すなわち、本実施形態においては、アーム部１３を撮影台１４に垂直な方向に対して４°回転するよう制御信号を出力する。
【００５７】
そして、アーム部１３が４°回転した状態において、制御部４０は、放射線源コントローラ３２および検出器コントローラ３３に対して放射線の照射と放射線画像信号の読出しを行うよう制御信号を出力する。そして、この制御信号に応じて、放射線源１７から放射線が射出され、乳房を４°方向から撮影した放射線画像が放射線画像検出器１５によって検出され、検出器コントローラ３３によって放射線画像信号が読み出され、所定の信号処理が施された後、コンピュータ２の放射線画像記憶部４１に記憶される。
【００５８】
そして、上述したようにして放射線画像記憶部４１に記憶された２枚の放射線画像信号は、放射線画像表示制御部４２によって読み出され、放射線画像表示制御部４２においてこれらの放射線画像信号に対して所定の処理が施された後、モニタ３に出力される。そして、モニタ３において、右目用放射線画像と左目用放射線画像とがそれぞれ表示されて乳房のステレオ画像が表示される（Ｓ１６）。
【００５９】
次に、上述したようにしてステレオ画像が表示された後、医師などによってステレオ画像が観察され、医師などによって所見を入力したい場合には、入力部４を用いて所見入力画面表示指示が入力される。
【００６０】
入力部４において所見入力画面表示指示が受け付けられると、所見表示制御部４３は、図７に示すように、モニタ３に表示された右目用放射線画像内に右目用所見入力画面ＲＳを表示するとともに、モニタ３に表示された左目用放射線画像内に左目用所見入力画面ＬＳを表示させる（Ｓ１８）。このとき右目用所見入力画面ＲＳと左目用所見入力画面ＬＳとは、２つの乳房画像の視差方向と同じ方向について所定の視差量を有するように表示されるが、ここでは２つの乳房画像の最大視差量と同じ大きさの視差量を有するように表示されるものとする。なお、２つの乳房画像の最大視差量は、放射線源１７と乳房との距離、放射線源１７と放射線画像検出器１５との距離および２つの撮影角度に基づいて設定されるものである。
【００６１】
このようにして右目用所見入力画面ＲＳと左目用所見入力画面ＬＳとがモニタ３に表示されることによって、図８に示すように、所見入力画面ＳＳがステレオ画像として表示される。なお、図８に示す点線は、所見入力画面ＳＳの奥行量をわかりやすくするために示したものであり、実際にモニタ３に表示されるものではない。
【００６２】
そして、本実施形態においては、右目用所見入力画面ＲＳと左目用所見入力画面ＬＳとが、２つの乳房画像の最大視差量と同じ大きさの視差量を有するように表示するようにしたので、図８に示すように、乳房画像のステレオ画像の最も手前の位置に所見入力画面ＳＳが表示されることになる。
【００６３】
上述したようにモニタ３に所見入力画面ＳＳが表示されると、入力部４を用いて医師などによって所見内容が入力される。
【００６４】
入力部４において所見内容が受け付けられると、所見表示制御部４３は、図７に示すように、右目用所見入力画面ＲＳ内と左目用所見入力画面ＬＳ内とに、入力部４において受け付けられた所見内容を表示させる（Ｓ１８）。なお、図７においては、所見内容を模式的に「ＡＡＡ、ＢＣ、Ｄ」として表している。
【００６５】
このとき右目用所見入力画面ＲＳ内と左目用所見入力画面ＬＳ内とに表示される所見内容は、右目用所見入力画面ＲＳと左目用所見入力画面ＬＳとの間の視差量と同じ視差量を有するものとして表示される。
【００６６】
このようにして右目用所見入力画面ＲＳ内と左目用所見入力画面ＬＳ内とに所見内容が表示されることによって、図８に示すように、その所見内容がステレオ画像として表示される（Ｓ２０）。
【００６７】
上記実施形態の乳房画像撮影表示システムによれば、互いに異なる２つの撮影方向からの被写体への放射線の照射によって取得された撮影方向毎の２つの放射線画像を用いてステレオ画像をモニタ３に表示するとともに所見内容の入力を受け付け、上記モニタ３に所見入力画面をステレオ表示させるとともに、その所見入力画面内に上記所見内容をステレオ表示するようにしたので、医師が不快や負担などを感じることなく、ステレオ表示された放射線画像に関する所見入力を行うことができる。
【００６８】
また、上記実施形態においては、所見入力画面および所見内容をステレオ表示するようにしたが、ステレオ表示だけでなく、所見入力画面および所見内容を２次元画像として表示できるようにしてもよい。
【００６９】
具体的には、たとえば、入力部４において、所見入力画面および所見内容をステレオ表示するか、もしくはこれらを２次元画像として表示するかの選択指示を受け付けるようにし、ステレオ表示するように選択指示が入力された場合には、所見表示制御部４３が、上述したように所見入力画面および所見内容をステレオ表示するようにし、２次元画像として表示するように選択指示が入力された場合には、所見表示制御部４３が、所見入力画面および所見内容を２次元画像として表示するようにしてもよい。所見入力画面および所見内容を２次元画像として表示する際には、図７に示した右目用所見入力画面ＲＳと左目用所見入力画面ＬＳとの視差量をゼロにするとともに、これらの画面内に入力された所見内容の視差量もゼロにするようにすればよい。図９は、所見入力画像と所見内容とを２次元画像として表示した場合の一例を模式的に示した図である。
【００７０】
また、入力部４における選択指示に応じて、図８に示すステレオ表示の所見入力画面および所見内容と、図９に示す２次元画像の所見入力画面および所見内容とを相互に切り替えて表示するようにしてもよい。
【００７１】
また、上記実施形態においては、所見入力画面および所見内容の視差量を２つの乳房画像の最大視差量と同じ大きさに設定するようにしたが、これに限らず、その他の視差量を設定するようにしてもよい。そして、さらに入力部４において所見入力画面および所見内容の任意の視差量を受け付けるようにし、その入力部４において受け付けられた視差量に基づいて所見入力画面および所見内容の視差量を調整し、これらの奥行位置を調整できるようにしてもよい。なお、所見入力画面および所見内容の上下方向および左右方向の位置については、予め設定するようにしてもよいし、たとえば、立体カーソルなどで指定した位置に表示させるようにしてもよい。また、所見入力画面および所見内容をマウスなどでドラッグして移動できるようにしてもよい。
【００７２】
具体的には、たとえば、上述したようなホイールマウス６１の回転ホイール６２を回転させることによって所見入力画面および所見内容の視差量を任意に変更可能にし、所見表示制御部４３が、その変更した視差量に基づいて所見入力画面および所見内容を表示させるようにしてもよい。図１０は、上述したようにして所見入力画面および所見内容の視差量を所定の大きさに調整したときの表示状態の一例を示す図である。なお、所見入力画面および所見内容は、２つの乳房画像に重なるように表示してもよく、これによりステレオ表示の乳房画像内に所見内容を表示するようにすることができる。
【００７３】
また、上述したようにしてモニタ３にステレオ表示された所見入力画面および所見内容を、入力部４からの選択指示によって表示したり、非表示にしたりするようにしてもよい。
【００７４】
また、ステレオ表示される所見入力画面および所見内容は１つの限らず、複数表示するようにしてもよく、たとえば、図１１に示すように２つの所見入力画面ＳＳ，ＳＳ’および所見内容を１つの画面内に表示させるようにしてもよい。
【００７５】
また、上述したようにして医師などによって入力された所見内容に関する情報と、２枚の放射線画像信号とを関連付けして放射線画像記憶部４１に記憶するようにしてもよい。そして、再び２枚の放射線画像信号を読み出して表示する際には、その放射線画像信号に関連付けられた所見内容に関する情報も読み出して、上述したようにステレオ表示するようにしてもよい。なお、２枚の放射線画像信号と所見内容に関する情報との関連付けについては、たとえば、２枚の放射線画像信号のヘッダ情報に所見内容に関する情報を含めるようにすればよい。
【００７６】
また、上記実施形態においては、本発明の立体視放射線画像表示装置を乳房画像撮影表示システムに適用するようにしたが、被写体は乳房に限定されるものではなく、乳房以外の胸部撮影用などのいわゆる一般撮影用の放射線画像撮影表示システムに適用するようにしてもよい。
【符号の説明】
【００７７】
１     乳房画像撮影表示システム
２     コンピュータ
３     モニタ
４     入力部
１０   乳房画像撮影装置
１３   アーム部
１４   撮影台
１５   放射線画像検出器
１６   放射線源ユニット
１７   放射線源
１８   圧迫板
４０   制御部
４１   放射線画像記憶部
４２   放射線画像表示制御部
４２   放射線画像表示制御部
４３   所見表示制御部
５２   ハーフミラー
【図１】
2012178626.tif 000003
【図２】
2012178626.tif 000004
【図３】
2012178626.tif 000005
【図４】
2012178626.tif 000006
【図５】
2012178626.tif 000007
【図６】
2012178626.tif 000008
【図７】
2012178626.tif 000009
【図８】
2012178626.tif 000010
【図９】
2012178626.tif 000011
【図１０】
2012178626.tif 000012
【図１１】
2012178626.tif 000013